(57)【要約】【目的】  デジタルデータを複数枚の記録媒体に分割記録するための操作を簡便、かつ短時間に行うことが可能なデジタル記録再生装置を提供する。【解決手段】  蓄積部に蓄積された蓄積済みデータの複数の記録媒体への分割記録要求を受け付ける記録要求受信部と、記録要求に応答し、記録媒体の記録容量に対応する蓄積済みデータにおける分割部の映像を蓄積部から再生するとともに、蓄積済みデータにおける所望の分割位置を指定する分割位置指定指令を受信する分割位置指定受信部と、分割位置指定指令に基づいて、蓄積済みデータの記録残量を算出する算出部と、記録残量が記録媒体の記録容量以下となるまで分割位置指定指令の受信及び記録残量の算出を繰り返す制御をなす制御部と、を有している。【選択図】  図１
2006172656.tif 000002
【特許請求の範囲】
【請求項１】
映像及び音声に関するデータを蓄積する蓄積部と、前記蓄積部に蓄積された蓄積済みデータを分割して複数の記録媒体に記録する記録部と、を有する映像記録装置であって、
前記蓄積済みデータを前記記録媒体へ記録する旨の記録要求を受け付ける記録要求受信部と、
前記記録要求に応答し、前記記録媒体の記録容量に対応する前記蓄積済みデータにおける分割部の映像を前記蓄積部から再生するとともに、前記蓄積済みデータにおける所望の分割位置を指定する分割位置指定指令を受信する分割位置指定受信部と、
前記分割位置指定指令に基づいて、前記蓄積済みデータの記録残量を算出する算出部と、
前記記録残量が前記記録媒体の記録容量以下となるまで前記分割位置指定指令の受信及び前記記録残量の算出を繰り返す制御をなす制御部と、を有することを特徴とする映像記録装置。
【請求項２】
当該受信した分割位置指定指令を記憶する記憶部を有し、
前記制御部は、当該記憶した分割位置指定指令に基づいて前記蓄積済み映像データを分割して前記複数の記録媒体に記録する制御をなすことを特徴とする請求項１に記載の映像記録装置。
【請求項３】
当該分割データに所定の映像処理をなす映像処理部を有し、
前記制御部は、当該分割データを記録媒体に記録する際の記録開始部及び記録終端部のいずれかにおいて前記所定の映像処理をなした後、前記複数の記録媒体に記録する制御をなすことを特徴とする請求項２に記載の映像記録装置。
【請求項４】
前記算出部は、前記分割位置指定指令を受信するごとに前記蓄積済み映像データを記録するのに要する記録媒体の数を算出することを特徴とする請求項１に記載の映像記録装置。
【請求項５】
映像及び音声に関するデータを蓄積する蓄積部に蓄積された蓄積済みデータを分割して複数の記録媒体に記録する記録方法であって、
前記蓄積済みデータの前記記録媒体へ記録する旨の記録要求を受け付けるステップと、
前記記録媒体の記録容量に対応する前記蓄積済みデータの分割部における映像を前記蓄積部から再生する再生ステップと、
前記蓄積済みデータにおける所望の分割位置を指定する分割位置指定指令を受信する分割位置指定受信ステップと、
前記分割位置指定指令に基づいて、前記蓄積済みデータの記録残量を算出する算出ステップと、
前記記録残量が前記記録媒体の記録容量以下となるまで前記再生ステップ、前記分割位置指定受信ステップ及び前記算出ステップを繰り返す制御をなす制御ステップと、を有することを特徴とする記録方法。
【請求項６】
当該受信した分割位置指定指令を記憶するステップを有し、
前記制御ステップは、当該記憶した分割位置指定指令に基づいて前記蓄積済みデータを分割して前記複数の記録媒体に記録する制御をなすことを特徴とする請求項５に記載の記録方法。
【発明の詳細な説明】
【技術分野】
【０００１】
本発明は、映像及び音声に関するデータを分割して複数の記録媒体に記録する記録装置及び記録方法に関する。
【背景技術】
【０００２】
ＤＶＤ（Digital Versatile Disc）等の光ディスク技術の進展に伴い、映像等をＤＶＤにデジタルデータとして録画することが可能なデジタル録画装置が広く普及している。さらに、近年、テレビ番組等の映像をリアルタイムで録画でき、大容量のデータを記録することが可能なＨＤＤ（Hard Disc Drive）をさらに搭載したデジタル録画装置が、近年、急速に用いられるようになってきた。
【０００３】
このようなＨＤＤ及びＤＶＤ記録機能を有するデジタル録画装置においては、ＨＤＤに記録されたデータをＤＶＤにダビング記録し、保存しておきたい場合がある。例えば、テレビ番組等のデータをＨＤＤからＤＶＤディスクに記録する際、記録したいデジタルデータの容量がＤＶＤディスクの記録容量（例えば、数ＧＢ（ギガバイト））を超える場合には、複数のディスクに当該データを分割して記録する必要がある。
【０００４】
複数のディスクに亘ってダビング記録をする場合、従来は、そのデータの分割位置はデジタル録画装置によって自動でなされていた。すなわち、１枚のディスクに記録できる最大の容量でデータを分割して記録するように構成されていた。あるいは、ユーザが全ての操作をマニュアルで行わなければならなかった（例えば、特許文献１参照）。例えば、データの編集作業や、各ディスクへの記録時間の調整等を全てマニュアルで行う必要があった。従って、マニュアル操作の作業量が非常に多く、ユーザにとっては煩わしいものであった。また、分割記録の作業のために多大な時間を費やす必要があった。
【０００５】
従って、ＨＤＤに記録されたデータを複数枚のディスクに分割記録するための操作を簡便、かつ短時間に行うことが可能なデジタル録画装置の実現が強く望まれている。
【特許文献１】特開２００４−１２７４７０号公報（第９頁、図１）
【発明の開示】
【発明が解決しようとする課題】
【０００６】
本発明が解決しようとする課題には、上記した問題が１例として挙げられる。本発明は、上述した問題点に鑑みてなされたものであり、その目的とするところは、デジタルデータを複数枚の記録媒体に分割記録するための操作を簡便、かつ短時間に行うことが可能なデジタル記録再生装置を提供することを目的とする。
【課題を解決するための手段】
【０００７】
本発明による映像記録装置は、映像及び音声に関するデータを蓄積する蓄積部と、蓄積部に蓄積された蓄積済みデータを分割して複数の記録媒体に記録する記録部と、を有する映像記録装置であって、蓄積済みデータを記録媒体へ記録する旨の記録要求を受け付ける記録要求受信部と、記録要求に応答し、記録媒体の記録容量に対応する蓄積済みデータにおける分割部の映像を蓄積部から再生するとともに、蓄積済みデータにおける所望の分割位置を指定する分割位置指定指令を受信する分割位置指定受信部と、分割位置指定指令に基づいて、蓄積済みデータの記録残量を算出する算出部と、記録残量が記録媒体の記録容量以下となるまで分割位置指定指令の受信及び記録残量の算出を繰り返す制御をなす制御部と、を有することを特徴としている。
【０００８】
また、本発明による記録方法は、映像及び音声に関するデータを蓄積する蓄積部に蓄積された蓄積済みデータを分割して複数の記録媒体に記録する記録方法であって、蓄積済みデータの記録媒体へ記録する旨の記録要求を受け付けるステップと、記録媒体の記録容量に対応する蓄積済みデータの分割部における映像を蓄積部から再生する再生ステップと、蓄積済みデータにおける所望の分割位置を指定する分割位置指定指令を受信する分割位置指定受信ステップと、分割位置指定指令に基づいて、蓄積済みデータの記録残量を算出する算出ステップと、記録残量が記録媒体の記録容量以下となるまで再生ステップ、分割位置指定受信ステップ及び算出ステップを繰り返す制御をなす制御ステップと、を有することを特徴としている。
【発明を実施するための最良の形態】
【０００９】
以下、本発明の実施例について図面を参照しつつ詳細に説明する。なお、以下に示す実施例において、等価な構成要素には同一の参照符を付している。
【実施例１】
【００１０】
図１は、本発明の実施例１であるデジタル記録再生装置（以下、デジタルレコーダ装置、又は単にデジタルレコーダという。）１０の構成を模式的に示すブロック図である。  デジタルレコーダ１０は、アナログ映像／音声信号等のアナログ信号をデジタルデータとして記録する記録装置として機能するとともに、記録されたデジタルデータを再生し、アナログ信号に変換して出力する再生装置としても機能する。
【００１１】
デジタルレコーダ１０に入力されたアナログ映像信号（ビデオ信号）は、アナログ−デジタル変換器（Ａ／Ｄ変換器）１１によってデジタルビデオ信号に変換される。当該デジタルビデオ信号は、ビデオエンコーダ１３においてＭＰＥＧ等の圧縮データに符号化（エンコード）される。
【００１２】
また、デジタルレコーダ１０に入力されたアナログ音声信号（オーディオ信号）は、アナログ−デジタル変換器（Ａ／Ｄ変換器）１２によってデジタルオーディオ信号に変換される。当該デジタルオーディオ信号は、オーディオエンコーダ１４において所定の圧縮データに符号化（エンコード）される。
【００１３】
ビデオエンコーダ１３からの符号化ビデオデータ、及びオーディオエンコーダ１４からの符号化オーディオデータは多重化回路（以下、マルチプレクサＭＵＸという。）１５に供給され、多重化される。当該符号化ビデオデータ及び符号化オーディオデータの多重化はシステムコントローラ２０の制御の下で実行される。なお、システムコントローラ２０は、信号バス（図示しない）を介してデジタルレコーダ１０の各部に接続され、デジタルレコーダ１０全体の制御をなすよう構成されている。なお、システムコントローラ２０には、システムコントローラ２０がデジタルレコーダ１０の制御を実行するために必要なデータ、コマンド、設定値等を格納するためのメモリ（ＲＡＭ，ＲＯＭ）２０Ａが双方向的に接続されている。
【００１４】
マルチプレクサＭＵＸ１５において多重化されたデータ（以下、多重化データともいう。）は、インターフェース（Ｉ／Ｆ）回路１６を介してＨＤ（ハードディスク）、あるいはＤＶＤディスク等の光ディスクに転送され、システムコントローラ２０からの制御信号に基づいて記録される。より詳細には、インターフェース回路１６にはデータバスを介して光ディスク駆動部１７及びＨＤ（ハードディスク）駆動部１８が接続されている。光ディスク駆動部１７は、光ディスク１７Ａを駆動し、インターフェース回路１６を介して供給されたデータを光ディスク１７Ａに記録する。例えば、光ディスク１７ＡがＤＶＤの場合では数ＧＢ（ギガバイト）、Blu-rayディスクの場合では数１０ＧＢ程度の記録容量を有している。また、ＨＤ駆動部１８は、ハードディスク１８Ａを駆動し、インターフェース回路１６を介して供給されたデータをハードディスク１８Ａに蓄積（格納）する。例えば、ハードディスク１８Ａは、一般的には数１０ＧＢ〜数ＴＢ（テラバイト）程度の格納容量を有する。
【００１５】
さらに、ハードディスク１８Ａに格納されたデータを、インターフェース回路１６を介して光ディスク１７Ａに転送して記録（ダビング）することができ、また、光ディスク１７Ａに記録されたデータをインターフェース回路１６を介してハードディスク１８Ａに転送して格納することができる。かかるハードディスク１８Ａ又は光ディスク１７Ａからのデータの読み出し、ハードディスク１８Ａ及び光ディスク１７Ａ間のデータの転送、及びハードディスク１８Ａ又は光ディスク１７Ａへの格納又は記録はシステムコントローラ２０の制御信号に基づいて行われる。
【００１６】
なお、本実施例における光ディスクは、片面単層に記録層が形成されるディスクに限られず、二層ディスクや両面ディスクを含むものである。
【００１７】
次に、データ再生時においては、システムコントローラ２０は、光ディスク駆動部１７又はＨＤ駆動部１８を制御して光ディスク１７Ａ又はハードディスク１８Ａに格納されたデータを読み出す。読み出されたデータは、インターフェース回路１６を介して多重分離回路（以下、デマルチプレクサＤＭＵＸという。）２１に供給され、符号化ビデオデータ及び符号化オーディオデータに分離される。
【００１８】
デマルチプレクサＤＭＵＸ２１からの符号化ビデオデータは、ビデオデコーダ２３において復号化（デコード）される。例えば、符号化ビデオデータがＭＰＥＧ圧縮データの場合にはＭＰＥＧ復号化がなされる。復号化されたビデオ信号は、デジタル−アナログ変換器（Ｄ／Ａ変換器）２５によってアナログビデオ信号に変換され、出力される。アナログビデオ信号は、デジタルレコーダ１０に接続されたＴＶ装置等のディスプレイ装置（図示しない）に供給され、当該ディスプレイ装置に表示される。
【００１９】
同様に、デマルチプレクサＤＭＵＸ２１からの符号化オーディオデータは、オーディオデコーダ２４において復号化（デコード）される。復号化されたオーディオ信号は、デジタル−アナログ変換器（Ｄ／Ａ変換器）２６によってアナログオーディオ信号に変換され、出力される。アナログオーディオ信号は、デジタルレコーダ１０に接続されたＴＶ装置等のディスプレイ装置やＡＶアンプ装置等（図示しない）に供給され、音声出力される。
【００２０】
上記したビデオデータ及びオーディオデータの、光ディスク１７Ａ又はハードディスク１８Ａへの記録、格納、ハードディスク１８Ａ又は光ディスク１７Ａからのデータの読み出し、ハードディスク１８Ａ及び光ディスク１７Ａ間のデータの転送・記録は、ユーザからの操作、設定等を受け付ける操作入力部２７からの操作信号に応じて行われる。また、ユーザの操作・設定、光ディスク１７Ａ及びハードディスク１８Ａの記録内容、各種動作の実行状況等の情報は表示部２８に表示される。あるいは、それらの情報の全て、あるいは一部がデジタルレコーダ１０に接続されたＴＶ装置等のディスプレイ装置（図示しない）に供給され、当該ディスプレイ装置に表示するようにしてもよい。
【００２１】
次に、ハードディスク１８Ａに蓄積されたデータを光ディスク１７Ａにダビング記録する場合の動作について図面を参照しつつ詳細に説明する。なお、上記したようにハードディスク１８Ａに蓄積されたデータは符号化ビデオデータに符号化オーディオデータを多重化したデータであるが、説明の簡便さのため、以下ではかかる多重化データを単に映像データ（片）ともいう。また、以下のダビング記録動作はシステムコントローラ２０の制御によってなされる。なお、上記映像データ片は、符号化されたものでなくてもよく、また、オーディオデータが多重化（又は重畳）されていなくてもよい。
【００２２】
図２及び図３は、ハードディスク１８Ａに蓄積された１つ以上の蓄積済みデータ（映像／音声データ）を光ディスク１７Ａにダビング記録する場合の手順を示すフローチャートである。まず、システムコントローラ２０は、ダビング要求を受け付ける。すなわち、ユーザの操作によって操作入力部２７から入力されたダビング要求を受け付ける（ステップＳ１１）。このダビング要求には、当該蓄積済みデータの分割をユーザ設定により行うか、自動で行うかについての指定が含まれる。また、連続して、あるいは離散的にハードディスク１８Ａに蓄積された複数の蓄積済みデータ片（例えば、蓄積された複数のＴＶ番組、映画等）をダビングする場合には、当該ダビング要求には、かかる蓄積済みデータ片の各々を指定する情報が含まれる。そして、当該複数の蓄積済みデータ片に関し、後述する蓄積済みデータ容量の算出、分割がなされる。
【００２３】
さらに、このダビング要求には、ユーザの指定による光ディスク１７Ａの種類（又は記録容量）に関する情報が含まれるようにしてもよい。あるいは、かかる情報を含まない場合には、光ディスク１７Ａの記録容量として既定値（デフォルト値）を用いるようにしてもよい。
【００２４】
次に、システムコントローラ２０は、光ディスク１７Ａが光ディスク駆動部１７にロードされ、記録可能な状態か否かを判別するとともに、ロードされたディスクの残量を確認する（ステップＳ１２）。
【００２５】
光ディスク１７Ａがロードされていると判別された場合には、当該ダビング要求において指定されたハードディスク１８Ａに蓄積された蓄積済みデータ（転送元データ）のサイズ（容量）及び光ディスク駆動部１７によって駆動される光ディスク１７Ａ（転送先）の記録容量に基づいて、複数枚のディスクに亘って分割記録（ダビング）を行う必要があるか否かを判別する（ステップＳ１３）。
【００２６】
分割記録が必要ではないと判別された場合、すなわち、当該指定されたデータを分割せずに１枚のディスクに記録できると判別された場合には、本ルーチンを終了し、通常のデータ転送記録（非分割記録）の動作（図示しない）を実行する。
【００２７】
分割記録が必要であると判別された場合には、当該蓄積済みデータの分割をユーザ設定により行うか否かを上記ダビング要求に基づいて判別する（ステップＳ１４）。蓄積済みデータの分割を自動で行うと判別された場合には、従来と同様に、自動で分割位置を定める自動分割ダビング記録が実行される（ステップＳ１５）。
【００２８】
ユーザ設定による分割ダビングを行うと判別された場合には、ユーザ設定分割ダビングのサブルーチンに移行する（ステップＳ１６）。図３はユーザ設定による分割ダビングを行う場合のサブルーチンを示している。図３を参照すると、まず、ＨＤ駆動部１８は、システムコントローラ２０の制御の下、ハードディスク１８Ａにアクセスし、指定された蓄積済みデータ（容量Ｄｖ（ギガバイト）とする）の第ｊ分割位置（ｊ＝１）へサーチする。例えば、当該指定された蓄積済みデータが１片の蓄積済みデータである場合には、当該分割位置は、ハードディスク１８Ａに蓄積された当該指定データの先頭から光ディスク１７Ａの記録容量に等しいデータ量に対応する位置である。例えば、光ディスク１７Ａの記録容量がＣdisc（ギガバイト）である場合、当該指定データの先頭からＣdisc（ギガバイト）目のデータ位置である。また、複数の蓄積済みデータ片が指定された場合には、当該複数の蓄積済みデータ片を結合したデータの先頭からＣdisc（ギガバイト）目のデータ位置が分割位置である。尚、以下では、該指定された蓄積済みデータが１片の蓄積済みデータである場合について説明するが、複数の蓄積済みデータ片が指定された場合においても同様に適用することができる。
【００２９】
システムコントローラ２０は、当該サーチ位置部分のデータを再生し、一時停止（PAUSE）を行って、当該分割位置の映像再生信号（静止映像再生信号）を出力し、ＴＶ装置等のディスプレイ装置（図示しない）に表示させる（ステップＳ２１）。また、蓄積済みデータの所望の分割位置を指定するよう要求する分割位置指定要求を発する（ステップＳ２１）。例えば、分割位置指定の操作を要求する旨のプロンプト表示をディスプレイ装置等になす。
【００３０】
次に、システムコントローラ２０は、ユーザの操作によって操作入力部２７から入力された第１分割位置を指定する指定指令信号を受信する。より具体的には、ユーザは、例えば操作入力部２７のジョグダイアル等によって上記サーチ位置の近傍部分を適宜再生し、上記サーチ位置よりも前であって所望の分割位置を指定する操作を行う。当該操作に応じて、操作入力部２７から第１分割位置Ｃ１（≦Ｃdisc）の指定信号がシステムコントローラ２０に送出され、受信される（ステップＳ２２）。
【００３１】
システムコントローラ２０は、第１分割位置Ｃ１の設定をメモリ２０Ａに格納する（ステップＳ２３）。次に、指定されたデータの残りの容量（記録残量）（Ｄｖ−Ｃ１）を算出し、当該記録残量と光ディスク１７Ａの記録容量（Ｃdisc）とに基づいて、さらにデータ分割を行う必要があるか否かを判別する（ステップＳ２４）。さらにデータ分割を行う必要があると判別された場合には、分割回数に対応するインデックスｊをアップカウントし、上記した手順（ステップＳ２１〜Ｓ２４）と同様な手順を、データ分割を行う必要が無くなるまで繰り返す。かかる手順によって第ｊ分割位置Ｃｊ（ｊ＝１，２，．．．）の設定等のデータがメモリ２０Ａに格納される。なお、光ディスク１７Ａの１枚目、２枚目、・・・に記録されるデータ（第１分割データ、第２分割データ、・・・、という。）の容量は分割位置Ｃｊ（ギガバイト）の差、すなわちＣ１、Ｃ２−Ｃ１、Ｃ３−Ｃ２、・・・として算出することができる。
【００３２】
ステップＳ２４においてさらにデータ分割を行う必要が無いと判別された場合には、必要ディスク枚数を算出し、表示部２８に表示される（ステップＳ２５）。なお当該情報はデジタルレコーダ１０に接続されたＴＶ装置等のディスプレイ装置（図示しない）に供給され、当該ディスプレイ装置に表示するようにしてもよい。
【００３３】
次に、システムコントローラ２０は、ユーザの操作によって操作入力部２７から入力されたダビング実行の指令が有るか否かを判別する（ステップＳ２６）。ダビング実行の指令がなされた場合には、分割ダビングを実行する（ステップＳ２７）。
【００３４】
かかる分割ダビングの実行（ステップＳ２７）は、例えば図４のフローチャートに示す手順によって行うことができる。まず、光ディスク１７Ａが光ディスク駆動部１７にロードされ、記録可能な状態か否かが判別されるとともに、ロードされたディスクの残量を確認する（ステップＳ３１）。光ディスク１７Ａがロードされていると判別された場合には、メモリ２０Ａに格納された設定値に基づいて第１分割データの光ディスク１７Ａへの記録が実行される（ステップＳ３２）。なお、第１枚目のディスクについてはローディング及び残量の確認は、上記したステップＳ１２（図２）における判別・確認結果を利用してもよく、省略することも可能である。
【００３５】
次に、分割記録が終了か否かが判別される（ステップＳ３３）。分割記録がまだ終了していない場合には、新たなディスクをロードする要求を表示部２８又はディスプレイ装置（図示しない）等に表示し、あるいはトレイを開くなどしてユーザに新たなディスクの装填を促す。分割記録が終了するまで上記した手順（ステップＳ３１〜Ｓ３４）を繰り返すことによって第ｊ分割データ（ｊ＝１，２，．．．）を複数枚に亘るディスクへの分割記録を実行する。なお、ユーザ設定による分割ダビングにおいては、各光ディスクへの記録開始部及び／又は終了部が重複記録されないようにディスクに分割記録がなされるのが好ましい。
【００３６】
また、記録前後に必要な処理動作（イニシャライズ、ファイナライズ等）がある場合は、それを自動またはユーザによる設定で行うようにしても良い。
【００３７】
上記したように、本発明によれば、記録媒体（光ディスク）よりも容量の大きなデジタルデータを複数枚の記録媒体に亘ってダビング記録する際の設定操作を簡便、かつ短時間に行うことができる。
【実施例２】
【００３８】
図５は、本発明の実施例２であるデジタルレコーダ１０の分割ダビング記録の手順を示すフローチャートである。
【００３９】
まず、システムコントローラ２０は、ハードディスク１８Ａに蓄積された蓄積済みデータ（映像／音声データ）を複数の光ディスク１７Ａに分割してダビング記録する旨の分割ダビング要求を受け付ける。すなわち、ユーザの操作によって入力された分割ダビング要求を受け付ける（ステップＳ４１）
次に、システムコントローラ２０はＨＤ駆動部１８を制御し、ハードディスク１８Ａにアクセスして指定された映像データ（容量Ｄｖ（ギガバイト）とする）の第ｊ分割位置（ｊ＝１）へサーチする。システムコントローラ２０は、当該サーチ位置を再生し、一時停止（PAUSE）を行って、当該分割位置の映像再生信号（静止映像再生信号）を出力し、ＴＶ装置等のディスプレイ装置（図示しない）に表示させる（ステップＳ４２）。また、蓄積済みデータの所望の分割位置を指定するよう要求する分割位置指定要求を発する。さらに、後述する所望の映像処理を指定するよう要求する（ステップＳ４２）。
【００４０】
次に、システムコントローラ２０は、ユーザの操作によって操作入力部２７から入力された第１分割位置を指定する指定指令信号を受信する（ステップＳ４３）。より具体的には、ユーザは、例えば操作入力部２７によって上記サーチ位置の近傍部分を適宜再生し、上記サーチ位置よりも前であって所望の分割位置を指定する操作を行う。当該操作に応じて、操作入力部２７から第１分割位置Ｃ１（≦Ｃdisc）の指定信号がシステムコントローラ２０に送出され、受信される。また、システムコントローラ２０は、第１分割位置Ｃ１の設定をメモリ２０Ａに格納する（ステップＳ４３）。
【００４１】
次に、システムコントローラ２０は、指定されたデータの残りの容量（記録残量という）（Ｄｖ−Ｃ１）を算出し、当該記録残量と光ディスク１７Ａの記録容量（Ｃdisc）とに基づいて、第１分割位置をＣ１としたときの、指定データを記録するのに要する光ディスクの枚数を算出し、表示器２８に表示させる（ステップＳ４４）。あるいは、外部ディスプレイに供給して表示させる。
【００４２】
システムコントローラ２０は、分割データを光ディスク１７Ａに記録する際の映像処理を指定する信号を受信し、メモリ２０Ａに格納する（ステップＳ４５）。
【００４３】
図６に示すように、デジタル記録再生装置１０には、映像データのフェードアウト、フェードイン、黒画面化処理、静止画等の所定の映像処理をデジタルデータ処理によって行うことが可能な映像処理部３０が設けられている。かかる映像処理部３０によるデジタルデータ処理についてより詳細に説明する。かかるデジタルデータ処理において、ハードディスク１８Ａから読み出された分割データ片はデマルチプレクサＤＭＵＸ２１において分離処理がなされ、得られた符号化ビデオ／オーディオデータは、ビデオデコーダ２３，オーディオデコーダ２４においてデコードされる。デコードされたデータは、映像処理部３０において、当該映像処理指定信号に基づいて映像処理が行われる。映像処理されたデータは、ビデオエンコーダ１３及びオーディオエンコーダ１４においてエンコードされ、マルチプレクサＭＵＸ１５により多重化され、光ディスク１７Ａ又はハードディスク１８Ａに格納することができるように構成されている。かかる一連の処理は、システムコントローラ２０の制御によってなされる。
【００４４】
なお、フェードアウト、フェードイン等の上記映像処理を施すことによってデータに重複部分が生じる場合には、データ量も増加するため、当該データの容量、光ディスク１７Ａの記録残量の算出（ステップＳ２４，Ｓ２５等）において当該データ増加分が考慮される。
【００４５】
システムコントローラ２０は、さらにデータ分割を行う必要があるか否かを判別する（ステップＳ４６）。さらにデータ分割を行う必要があると判別された場合には、分割回数に対応するインデックスｊをアップカウントし、上記した手順（ステップＳ４２〜Ｓ４６）と同様な手順を、データ分割を行う必要が無くなるまで繰り返す。かかる手順によって第ｊ分割位置Ｃｊ（ｊ＝１，２，．．．）の設定、及び当該分割位置における映像処理等に関するデータがメモリ２０Ａに格納される。
【００４６】
ステップＳ４６においてさらなるデータ分割を行う必要が無いと判別された場合には、最終的に必要なディスク枚数を算出し、表示部２８に表示する（ステップＳ４７）。なお当該情報はデジタルレコーダ１０に接続されたＴＶ装置等のディスプレイ装置（図示しない）に外部出力され、当該ディスプレイ装置に表示するようにしてもよい。
【００４７】
次に、システムコントローラ２０は、ユーザの操作によって操作入力部２７から入力されたダビング実行の指令に基づいて分割ダビングを実行する（ステップＳ４８）。
【００４８】
かかる分割ダビングの実行（ステップＳ４８）は、図７のフローチャートに示す手順によって行うことができる。かかる分割ダビングの手順は図４に示す手順と同様であるが、システムコントローラ２０は、メモリ２０Ａに格納された映像処理等に関する設定データに基づいて、各光ディスクへの記録開始部及び／又は終了部において映像処理を施して記録をなすよう制御する（ステップＳ３２’）。より具体的には、システムコントローラ２０は、ハードディスク１８Ａから読み出した分割データをインターフェース回路１６を介してデマルチプレクサＤＭＵＸ２１に供給し、分離処理を行う。分離されたビデオ及びオーディオデータは、ビデオデコーダ２３及びオーディオデコーダ２４で符号化がなされる。映像処理部３０は、設定データに基づいて、符号化がなされた分割データに指定された映像処理を施す。映像処理が施された分割データはインターフェース回路１６、ビデオエンコーダ１３及びオーディオエンコーダ１４、マルチプレクサＭＵＸ１５を経て光ディスク駆動部１７に供給され、光ディスク１７Ａに記録される。
【００４９】
また、記録前後に必要な処理動作（イニシャライズ、ファイナライズ等）がある場合は、それを自動またはユーザによる設定で行うようにしても良い。
【００５０】
上記したように、本発明によれば、記録媒体（光ディスク）よりも容量の大きなデジタルデータを複数枚の記録媒体に亘ってダビング記録する際の設定操作を簡便、かつ短時間に行うことができるとともに、所望の映像処理を施して分割ダビング記録を行うことができる。また、ユーザが分割位置を設定するごとに必要なディスク数が算出され、表示されるので、所要ディスク数を確認しつつ分割位置の設定操作を行うことができる。
【００５１】
なお、記録媒体として光ディスクを用いた場合を例に説明したが、磁気ディスク、ＭＯディスク、あるいはＲＡＭ等の半導体メモリを用いた記録媒体であってもよい。また、映像データを蓄積する蓄積部としてハードディスクを用いた場合を例に説明したが、当該記録媒体よりも大きな容量を有する他の記憶装置であってもよい。
【００５２】
さらに、本発明は、ＨＤＤ等の記憶装置及びＤＶＤ等の記録装置を搭載したＤＶＤレコーダ等の記録再生装置に限らず、例えば上記記憶装置及び記録媒体記録装置を搭載したＰＣ（パーソナルコンピュータ）等、またはこれらに等価な記録装置にも適用することができる。
【００５３】
上記した実施例は適宜組み合わせて適用することができる。
【図面の簡単な説明】
【００５４】
【図１】本発明の実施例１であるデジタル記録再生装置の構成を模式的に示すブロック図である。
【図２】ハードディスクに蓄積されたデータを光ディスクにダビング記録する場合の手順を示すフローチャートである。
【図３】ハードディスクに蓄積されたデータを光ディスクにダビング記録する場合の手順を示すフローチャートである。
【図４】分割ダビングを実行する際の手順を示すフローチャートである。
【図５】本発明の実施例２であるデジタル記録再生装置の分割ダビング記録の手順を示すフローチャートである。
【図６】本発明の実施例２であるデジタル記録再生装置の構成を模式的に示すブロック図である。
【図７】本発明の実施例２における分割ダビングの手順を示すフローチャートである。
【符号の説明】
【００５５】
１０  デジタル記録再生装置
１３  ビデオエンコーダ
１４  オーディオエンコーダ
１５  マルチプレクサ
１７  光ディスク駆動部
１８  ハードディスク駆動部
２０  システムコントローラ
２１  デマルチプレクサ
２３  ビデオデコーダ
２４  オーディオデコーダ
２７  操作入力部
２８  表示部
３０  映像処理部
【図１】
2006172656.tif 000003
【図２】
2006172656.tif 000004
【図３】
2006172656.tif 000005
【図４】
2006172656.tif 000006
【図５】
2006172656.tif 000007
【図６】
2006172656.tif 000008
【図７】
2006172656.tif 000009